(57)【要約】【課題】船底に付着した貝類等の硬質付着物を、多くの人手をかけずに水中に潜ることなく、簡便に除去することが可能な船底付着物除去具を提供する。【解決手段】船底付着物除去具１は、ロープ２の途中に連結された紡錘形の除去具本体３と、除去具本体３の表面に固定された複数の硬質性突起４とを備えている。硬質性突起４の先端部は平面状となっている。船舶の甲板の両側で、ロープ２の両端を握って綱引きし、船底付着物除去具１の除去具本体３に固定された硬質性突起４を、船底に押し当てて、船底に付着した貝類等の硬質の付着物を除去する。【選択図】図１
0003198461.tif 000002
【実用新案登録請求の範囲】
【請求項１】
船舶の船底面に押し当てて、船底に付着した硬質の付着物を除去するために使用される船底付着物除去具であって、ロープと、前記ロープの途中に連結された紡錘形の除去具本体と、前記除去具本体の表面に固定された複数の硬質性突起とを備え、前記硬質性突起の先端部は平面状であることを特徴とする船底付着物除去具。
【請求項２】
前記硬質性突起の先端部の角部は曲面となっていることを特徴とする請求項１記載の船底付着物除去具。
【請求項３】
前記硬質性突起は、前記除去具本体の表面に固定される柄部と、柄部の先端に設けられて柄部よりも大径の頭部とからなることを特徴とする請求項１または２記載の船底付着物除去具。
【考案の詳細な説明】
【技術分野】
【０００１】
本考案は、船底に付着した貝類等の硬質付着物を除去するために使用される船底付着物除去具に関する。
【背景技術】
【０００２】
船を長期間海中等に係留しておくと、貝や藻などが船底に付着し、これを放置しておくと、船の走行性能が低下する。そのため、このような付着物を除去することになるが、小型の船舶であっても相当の重量を有しているため、これを陸揚げして除去するためには、多くの人手が必要となる。また、水中に潜ってヘラで除去するとすれば、作業は海中で行うことになり、水温の低い時期には困難を極める。
【０００３】
そのため、船を陸揚げすることなく、また水中に潜ることなく、簡単な方法で船底付着物を除去する器具が求められている。特に、藤壺のような貝類は硬質のものであるため、特に除去することが難しく、このような硬質の付着物であっても容易に取り去ることができれば極めて有効である。
【０００４】
特許文献１には、主として小型船舶の船底に付着した貝や藻などの不要物を除去することを目的として、両端部が小径部で中間部に大径部を有する径を順次変化させた金属性コイルばねと、コイルばねの両端にそれぞれ取り付けられるか又は係合するロープとよりなる船底掃除具が開示されている。この船底掃除具は、コイルばねを船底に当接させ、ロープの両端を引張ることによりコイルばねの伸長、復元を繰返して不要付着物を除去するものである。
【先行技術文献】
【特許文献】
【０００５】
【特許文献１】特開２００３−２４６２９４号公報
【考案の概要】
【考案が解決しようとする課題】
【０００６】
特許文献１に記載の船底掃除具は、コイルばねの伸長、復元によって、船底に付着した貝や藻をコイルばねに挟み込んで取り去るものであり、藻のような柔らかいものはこれによって取り去ることは容易であると考えられる。しかし、貝のように硬質の付着物については、コイルばねに挟み込んである程度破壊することは可能であるが、貝が船底に付着した付着面から貝を完全に引きはがすことは困難である。
【０００７】
本考案は、このような事情を考慮してなされたもので、船底に付着した貝類等の硬質付着物を、多くの人手をかけずに水中に潜ることなく、簡便に除去することが可能な船底付着物除去具を提供することを目的とする。
【課題を解決するための手段】
【０００８】
上記の課題を解決するために、本考案の船底付着物除去具は、船舶の船底面に押し当てて、船底に付着した硬質の付着物を除去するために使用される船底付着物除去具であって、ロープと、前記ロープの途中に連結された紡錘形の除去具本体と、前記除去具本体の表面に固定された複数の硬質性突起とを備え、前記硬質性突起の先端部は平面状であることを特徴とする。
【０００９】
船底に付着した貝類等の硬質付着物に硬質性突起が接触すると、硬質性突起は貝類の一部を破壊して、貝類の内部に入り込む。貝類を船底に付着した付着面から引きはがすことによって、貝類全体を除去することができるが、硬質性突起が貝類の内部に入り込んで貝類をひっかけることによって、貝類を付着面から引きはがす可能性が高くなる。付着物が硬いものであるほど、硬質性突起が一旦貝類の内部に入り込むと、硬質性突起は強度の強い貝殻の面からは抜けずに、強度的に一番弱い船底との付着面から貝類を引きはがすように機能する。このように、棒状の硬質性突起であることによって、貝類を押し潰したり、削り取ったりするだけではなく、貝類等の硬質付着物の全体を好適に除去することができる。
【００１０】
硬質性突起の先端部は平坦面となっているため、規則的な形状を有する船底に突起が接触しても、船底に傷を付ける可能性は低い。一方、貝類等の硬質付着物は、不規則な構造体であるため、先端部が平坦面となっている硬質性突起によって貝類を削り取ったり、貝類を付着面から引きはがしたりすることは可能である。そのため、船底に傷を付けることなく、貝類等の硬質付着物を効率よく除去することができる。
除去具本体を紡錘形とすることにより、除去具本体の表面に固定された硬質性突起の多くが船底に当接しやすくなり、硬質付着物除去の効率が向上する。
【００１１】
本考案の船底付着物除去具においては、前記硬質性突起の先端部の角部は曲面となっている構造とすることができる。
【００１２】
硬質性突起の先端部は平坦面となっているため、船底に硬質性突起が接触した際に、船底に傷を付けにくくなっているが、硬質性突起が船底に対して斜めに接触すると、硬質性突起の角部が船底に接触することとなる。しかし、硬質性突起の先端部の角部が曲面となっていることにより、硬質性突起が船底に対して斜めに接触しても、船底が損傷を受けにくい。
【００１３】
本考案の船底付着物除去具においては、前記硬質性突起は、前記除去具本体の表面に固定される柄部と、柄部の先端に設けられて柄部よりも大径の頭部とからなる構造とすることができる。
【００１４】
貝類等の硬質付着物に接触するのは硬質性突起の先端部であるため、硬質性突起の先端部の面積が広い方が、付着物を破壊する機能が高くなるが、先端部が大径の頭部となっていることにより、付着物を破壊する機能を高めることができる。また、柄部と頭部との径が異なっていることにより、角部が多く形成されるようになるため、硬質性突起が付着物に引っかかる可能性が高くなり、付着物を船底から引きはがす能力が高まる。
【考案の効果】
【００１５】
本考案によると、船底に付着した貝類等の硬質付着物を、多くの人手をかけずに水中に潜ることなく、簡便に除去することが可能な船底付着物除去具を実現することができる。
【図面の簡単な説明】
【００１６】
【図１】本考案の実施形態に係る船底付着物除去具の除去具本体の構造を示す図である。
【図２】本考案の実施形態に係る船底付着物除去具の全体構造を示す図である。
【図３】本考案の実施形態に係る船底付着物除去具の除去具本体に固定された硬質性突起の形状を示す図である。
【図４】本考案の実施形態に係る船底付着物除去具の使用状況を説明する図である。
【考案を実施するための形態】
【００１７】
以下に、本考案の船底付着物除去具を、その実施形態に基づいて説明する。
図１に、本考案の実施形態に係る船底付着物除去具の除去具本体の構造を示す
図１において、船底付着物除去具１は、船舶の船底面に押し当てて、船底に付着した硬質の付着物を除去するために使用されるものであり、ロープ２の途中に連結された紡錘形の除去具本体３と、除去具本体３の表面に固定された複数の硬質性突起４とを備えている。硬質性突起４は、除去具本体３の表面に対して垂直になるように固定されている。除去具本体３の表面への硬質性突起４の固定は、接着剤によって行うことができ、量産する場合には、型によって除去具本体３と硬質性突起４を一体成型することができる。
【００１８】
除去具本体３は、中央部が太く両端がしだいに細くなる紡錘形であり、除去具本体３の長手方向の長さを２００ｍｍ、中央部の直径を１００ｍｍとすることができる。除去具本体３を紡錘形としているのは、船底は通常湾曲する面によって形成されており、船底の湾曲する面の曲率に合わせて、除去具本体３を紡錘形とすると、除去具本体３の表面に固定された硬質性突起４の多くが船底に当接しやすくなり、硬質付着物の除去を行いやすくなるからである。
【００１９】
硬質性突起４は、金属のような硬質の材料によって形成されることにより、船底に付着した貝類等の硬質付着物を除去することができる。本考案は、船底に付着した硬質の貝類等を除去することが目的であるから、硬質付着物に接触したときに摩耗しない程度に硬い材料で硬質性突起４は形成されている。
【００２０】
硬質性突起４の長さを１０ｍｍ、直径を３ｍｍとすることができる。直径を３ｍｍとしているのは、直径が１ｍｍ程度であると、船底付着物に硬質性突起４が接触した際に曲がりやすくなるためである。
【００２１】
図２に、本考案の実施形態に係る船底付着物除去具の全体構造を示す。
図２に示すように、ロープ２の途中に、複数の紡錘形の除去具本体３が間隔を置いて連結されている。ロープ２の全体の長さ、ロープ２の直径と、連結される除去具本体３の数は、船舶の大きさや船底の形状によって適宜選択されるが、一例として、５人〜１０人乗りの小型船舶の場合には、ロープ２の全体の長さを８ｍ〜１０ｍ、ロープ２の直径を２０ｍｍ、連結される除去具本体３の個数を３個とすることができる。
【００２２】
図３に、本考案の実施形態に係る船底付着物除去具の除去具本体に固定された硬質性突起の形状を示す。
図３（ａ）は、硬質性突起４の基本構造を示しており、円柱状または角柱状であり、硬質性突起４の先端部５は平面状となっている。先端部５が先鋭的であると、硬質性突起４が船底に当接したときに船底に傷を付けやすいが、先端部５が平面状となっているため、規則的な形状に形成された船底の平面と硬質性突起４の平面状先端部５とが接触することになり、硬質性突起４が船底に当接しても船底に傷を付けにくい。その一方、貝類等の硬質付着物は、不規則な構造体であるため、先端部５が平坦面となっている硬質性突起４によって貝類を削り取ったり、貝類を付着面から引きはがしたりすることは可能である。そのため、船底に傷を付けることなく、貝類等の硬質付着物を効率よく除去することができる。
【００２３】
図３（ｂ）は、硬質性突起４の変形例を示しており、先端部５のエッジを面取りして、角部６を曲面にしたものである。こうすると、硬質性突起４の角部６を丸めることができ、硬質性突起４が船底に当接する際の船底の傷の発生をさらに防止できる。特に、硬質性突起４の径が大きくなると、角部６が船底に接触したときの衝撃が大きくなるため、角部６を曲面にすることの効果が大きくなる。
【００２４】
図３（ｃ）、図３（ｄ）は、硬質性突起４の変形例を示しており、硬質性突起４は、除去具本体３の表面に固定される柄部７と、柄部７の先端に設けられて柄部７よりも大径の頭部８とからなっている。先端部が大径の頭部８となっていることにより、付着物を破壊する機能を高めることができる。また、柄部７と頭部８との径が異なっていることにより、角部６が多く形成されるようになるため、硬質性突起４が付着物に引っかかる可能性が高くなり、付着物を船底から引きはがす能力が高まる。図３（ｄ）では、頭部８の上端の角部６を曲面状としている。柄部７が細いと、柄部７と頭部８との境界部で折れやすくなるため、柄部７の直径を３ｍｍ程度とし、頭部８の径をこれより大きい径とすることが好ましい。
【００２５】
図４に基づいて、本考案の実施形態に係る船底付着物除去具の使用状況を説明する。
船舶９の甲板の両側で、ロープ２の両端を握って綱引きし、船底付着物除去具１の除去具本体３に固定された硬質性突起４を、船底１０に押し当てて、船底９に付着した貝類等の硬質の付着物を除去する。船底付着物除去具１の操作は、人力で行う他、動力装置に取付けて行うこともできる。
【産業上の利用可能性】
【００２６】
本考案は、船底に付着した貝類等の硬質付着物を、多くの人手をかけずに水中に潜ることなく、簡便に除去することが可能な船底付着物除去具として広く利用することができる。
【符号の説明】
【００２７】
１  船底付着物除去具
２  ロープ
３  除去具本体
４  硬質性突起
５  先端部
６  角部
７  柄部
８  頭部
９  船舶
１０  船底
【図１】
0003198461.tif 000003
【図２】
0003198461.tif 000004
【図３】
0003198461.tif 000005
【図４】
0003198461.tif 000006